(57)【要約】  【課題】  電子カメラにテンプレート画像をダウンロードしなくても、画像合成機能がない電子カメラでも、撮影場所に適したテンプレート画像を撮影画像に合成してプリントできるようにすること。  【解決手段】  サーバ３０は、カメラ付き携帯電話１０から受信した撮影画像および撮影画像の位置情報を撮影画像ＤＢ（データベース）８１に蓄積し、識別情報を携帯電話１０に通知する。画像プリント装置２０で識別情報が入力されると、サーバ３０は、識別情報に対応する撮影画像および撮影画像の位置情報に関連したテンプレート画像をテンプレート画像ＤＢ８２から取り出して、画像プリント装置２０に送信する。画像プリント装置２０は、撮影画像およびテンプレート画像を合成してプリントする。テンプレート画像ＤＢ８１は、画像プリント装置２０側に設けてもよい。撮影画像は記録媒体を介して画像プリント装置２０に与えてもよい。【選択図】  図１
2005150832.tif 000002
【特許請求の範囲】
【請求項１】
被写体を撮影する電子カメラ、画像をプリントする画像プリント装置、および、前記電子カメラおよび画像プリント装置と通信するサーバから構成され、
前記電子カメラは、
被写体を撮影して得られた撮影画像を前記サーバに送信する手段を有し、
前記サーバは、
前記電子カメラから前記撮影画像を受信する手段と、
前記電子カメラから前記撮影画像を受信したとき、該撮影画像の発信位置情報を該撮影画像の位置情報として取得する手段と、
前記電子カメラから受信した撮影画像および該撮影画像の位置情報を、該撮影画像に対応する識別情報と関連付けて蓄積する第１のデータベースと、
前記撮影画像と合成可能な複数のテンプレート画像を予め蓄積する第２のデータベースと、
前記識別情報を前記電子カメラに通知する手段と、
前記画像プリント装置で識別情報が入力されたときに該識別情報を前記画像プリント装置から受信する手段と、
前記画像プリント装置から受信した識別情報に対応する撮影画像を前記第１のデータベースから取り出すとともに、該撮影画像の位置情報に関連したテンプレート画像を前記第２のデータベースから取り出して、これらの撮影画像およびテンプレート画像を前記画像プリント装置に送信する手段と、
を有し、
前記画像プリント装置は、
前記サーバから撮影画像および該撮影画像の位置情報に関連したテンプレート画像を受信する手段と、
前記サーバから受信した撮影画像およびテンプレート画像を合成する手段と、
合成した画像をプリントする手段と、
を有することを特徴とする画像プリントシステム。
【請求項２】
被写体を撮影する電子カメラ、画像をプリントする画像プリント装置、および、前記電子カメラおよび画像プリント装置と通信するサーバから構成され、
前記電子カメラは、
被写体の撮影位置を検出する位置検出手段と、
検出した撮影位置を被写体の撮影画像に該撮影画像の位置情報として付与する手段と、
該位置情報付き撮影画像を前記サーバに送信する手段と、
を有し、
前記サーバは、
前記電子カメラから前記位置情報付き撮影画像を受信する手段と、
前記電子カメラから受信した位置情報付き撮影画像を該撮影画像に対応する識別情報と関連付けて蓄積する第１のデータベースと、
前記撮影画像と合成可能な複数のテンプレート画像を予め蓄積する第２のデータベースと、
前記識別情報を前記電子カメラに通知する手段と、
前記画像プリント装置で識別情報が入力されたときに該識別情報を前記画像プリント装置から受信する手段と、
前記画像プリント装置から受信した識別情報に対応する位置情報付き撮影画像を前記第１データベースから取り出すとともに、該位置情報に関連したテンプレート画像を前記第２のデータベースから取り出して、これらの撮影画像およびテンプレート画像を前記画像プリント装置に送信する手段と、
を有し、
前記画像プリント装置は、
前記サーバから撮影画像およびテンプレート画像を受信する手段と、
前記サーバから受信した撮影画像およびテンプレート画像を合成する手段と、
合成した画像をプリントする手段と、
を有することを特徴とする画像プリントシステム。
【請求項３】
被写体を撮影する電子カメラ、画像をプリントする画像プリント装置、および、該画像プリント装置と通信するサーバから構成され、
前記電子カメラは、
被写体の撮影位置を検出する位置検出手段と、
検出した撮影位置を被写体の撮影画像に該撮影画像の位置情報として付与する手段と、
該位置情報付き撮影画像を所定の記録媒体または自らのメモリに記録する手段と、
を有し、
前記サーバは、
前記撮影画像と合成可能な複数のテンプレート画像を予め蓄積するデータベースと、
前記データベースから取り出したテンプレート画像を前記画像プリント装置に送信する手段と、
を有し、
前記画像プリント装置は、
前記位置情報付き撮影画像を前記記録媒体または前記電子カメラから取得する手段と、
前記サーバが蓄積した複数のテンプレート画像の中から前記撮影画像の位置情報に関連したテンプレート画像を前記サーバから受信する手段と、
前記撮影画像およびテンプレート画像を合成する手段と、
合成した画像をプリントする手段と、
を有することを特徴とする画像プリントシステム。
【請求項４】
前記画像プリント装置は、前記サーバに蓄積された各テンプレート画像と位置との対応関係を管理し、前記撮影画像をプリントする際に、該撮影画像の位置情報に対応したテンプレート画像を前記複数のテンプレート画像の中から選択して該選択したテンプレート画像を前記サーバ装置に要求して前記サーバから受信するようにしたことを特徴とする請求項１、２または３に記載の画像プリントシステム。
【請求項５】
前記サーバは、該サーバに蓄積された各テンプレート画像と位置との対応関係を管理し、前記画像プリント装置が前記撮影画像をプリントする際に、該撮影画像の位置情報に対応したテンプレート画像を前記複数のテンプレート画像の中から選択して前記画像プリント装置に送信するようにしたことを特徴とする請求項１、２または３に記載の画像プリントシステム。
【請求項６】
被写体を撮影する電子カメラ、画像をプリントする画像プリント装置、および、前記電子カメラおよび画像プリント装置と通信するサーバから構成され、
前記電子カメラは、
被写体を撮影して得られた撮影画像を前記サーバに送信する手段を有し、
前記サーバは、
前記電子カメラから前記撮影画像を受信する手段と、
前記電子カメラから撮影画像を受信したとき、該撮影画像の送信位置を撮影画像の位置情報として取得する手段と、
前記電子カメラから受信した撮影画像および該撮影画像の位置情報を、該撮影画像に対応する識別情報と関連付けて蓄積する第１のデータベースと、
前記識別情報を前記電子カメラに通知する手段と、
前記画像プリント装置で識別情報が入力されたときに該識別情報を前記画像プリント装置から受信する手段と、
前記画像プリント装置から受信した識別情報に対応する撮影画像および該撮影画像の位置情報を前記第１のデータベースから取り出して前記画像プリント装置に送信する手段と、
を有し、
前記画像プリント装置は、
前記撮影画像と合成可能な複数のテンプレート画像を予め蓄積する第２のデータベースと、
前記サーバから撮影画像および該撮影画像の位置情報を受信する手段と、
前記サーバから受信した位置情報に関連するテンプレート画像を前記第２のデータベースから取り出す手段と、
前記サーバから受信した撮影画像および前記第２のデータベースから取り出したテンプレート画像を合成する手段と、
合成した画像をプリントする手段と、
を有することを特徴とする画像プリントシステム。
【請求項７】
被写体を撮影する電子カメラ、画像をプリントする画像プリント装置、および、前記電子カメラおよび画像プリント装置と通信するサーバから構成され、
前記電子カメラは、
被写体の撮影位置を検出する位置検出手段と、
検出した撮影位置を被写体の撮影画像に該撮影画像の位置情報として付与する手段と、
該位置情報付き撮影画像を前記サーバに送信する手段と、
を有し、
前記サーバは、
前記電子カメラから前記位置情報付き撮影画像を受信する手段と、
前記電子カメラから受信した位置情報付き撮影画像を該撮影画像に対応する識別情報と関連付けて蓄積する第１のデータベースと、
前記識別情報を前記電子カメラに通知する手段と、
前記画像プリント装置で識別情報が入力されたときに該識別情報を前記画像プリント装置から受信する手段と、
前記画像プリント装置から受信した識別情報に対応する位置情報付き撮影画像を前記第１のデータベースから取り出して前記画像プリント装置に送信する手段と、
を有し、
前記画像プリント装置は、
前記撮影画像と合成可能な複数のテンプレート画像を予め蓄積する第２のデータベースと、
前記サーバから位置情報付き撮影画像を受信する手段と、
前記位置情報に関連するテンプレート画像を前記第２のデータベースから取り出す手段と、
前記サーバから受信した撮影画像および前記第２のデータベースから取り出したテンプレート画像を合成する手段と、
合成した画像をプリントする手段と、
を有することを特徴とする画像プリントシステム。
【請求項８】
被写体を撮影する電子カメラ、および、画像をプリントする画像プリント装置から構成され、
前記電子カメラは、
被写体の撮影位置を検出する位置検出手段と、
検出した撮影位置を被写体の撮影画像に該撮影画像の位置情報として付与する手段と、
該位置情報付き撮影画像を所定の記録媒体または自らのメモリに記録する手段と、
を有し、
前記画像プリント装置は、
前記撮影画像と合成可能な複数のテンプレート画像を予め蓄積するデータベースと、
前記位置情報付き撮影画像を前記記録媒体または前記電子カメラから取得する手段と、
前記データベースが蓄積した複数のテンプレート画像の中から前記撮影画像の位置情報に関連したテンプレート画像を取り出す手段と、
前記撮影画像と該撮影画像の位置情報に関連したテンプレート画像とを合成する手段と、
合成した画像をプリントする手段と、
を有することを特徴とする画像プリントシステム。
【請求項９】
前記請求項１ないし請求項８の何れかに記載の画像プリントシステムを構成する前記サーバ。
【請求項１０】
前記請求項１ないし請求項８の何れかに記載の画像プリントシステムを構成する前記画像プリント装置。
【発明の詳細な説明】
【技術分野】
【０００１】
本発明は画像プリントシステム、画像プリント装置およびサーバに係り、特に、被写体の撮影画像およびテンプレート画像の合成画像をプリント可能な画像プリントシステム、画像プリント装置およびサーバに関する。
【背景技術】
【０００２】
近年、カメラ付き携帯電話の普及に伴なって、このようなカメラ付き携帯電話で撮影した画像をプリントする機会が増えてきている。
【０００３】
カメラ付き携帯電話には、様々な構成態様があり、例えば、撮影画像をメモリカードなどのリムーバブルメディアに記録可能なものとそうでないものがある。ＧＰＳ（Global Positioning System）等による位置検出機能を有するものとそうでないものもある。どのような構成態様の携帯電話であっても、カメラ付きである限り、ユーザが自身で撮影した好みの画像をプリントしたいという要求がある。また、撮影したそのままの画像だけでなく、フレームや背景や前景などの撮影画像を装飾するテンプレート画像を合成させてプリントしたいという要求が高い。さらに、いつも同じテンプレート画像でなく、撮影画像に合ったテンプレート画像を合成させたいという要求がある。
【０００４】
なお、カメラ付き携帯電話は、当然ながら通信機能を有しており、通話に限らず、移動通信網およびインターネットを介して画像を受信可能なものが普及してきている。もちろん、携帯電話以外でも、被写体の撮影機能とインターネット等を介した通信機能とを併せ持つ通信端末装置が存在する。
【０００５】
このような電子カメラが、ＧＰＳ等により現在位置を検出して位置情報をサーバに送信し、当該サーバから現在位置に該当するテンプレート画像を取得して、取得したテンプレート画像と撮影画像とを合成し、この合成画像を画像プリント装置によってプリントするようにしたものが提案されている（特許文献１を参照）。
【特許文献１】特開２００１−２６８４２１号公報
【発明の開示】
【発明が解決しようとする課題】
【０００６】
従来、電子カメラがサーバから撮影位置に関連したテンプレート画像をダウンロードし、さらに電子カメラが合成をする必要があった。
【０００７】
特に、携帯電話の場合には、一般に、画面が小さく合成画像がうまくできたか否か判断し難い、画像処理能力がまだまだ低い、操作が煩雑などの課題がある。
【０００８】
本発明はこのような事情に鑑みてなされたもので、電子カメラがサーバからテンプレート画像をダウンロードしてこなくても、また、電子カメラが画像合成機能を有していなくても、撮影画像に適したテンプレート画像を撮影画像に合成してプリントし、合成画像を楽しむことができる画像プリントシステムを提供することを目的とする。
【課題を解決するための手段】
【０００９】
前記目的を達成するために、請求項１に記載の発明は、被写体を撮影する電子カメラ、画像をプリントする画像プリント装置、および、前記電子カメラおよび画像プリント装置と通信するサーバから構成され、前記電子カメラは、被写体を撮影して得られた撮影画像を前記サーバに送信する手段を有し、前記サーバは、前記電子カメラから前記撮影画像を受信する手段と、前記電子カメラから前記撮影画像を受信したとき、該撮影画像の発信位置情報を該撮影画像の位置情報として取得する手段と、前記電子カメラから受信した撮影画像および該撮影画像の位置情報を、該撮影画像に対応する識別情報と関連付けて蓄積する第１のデータベースと、前記撮影画像と合成可能な複数のテンプレート画像を予め蓄積する第２のデータベースと、前記識別情報を前記電子カメラに通知する手段と、前記画像プリント装置で識別情報が入力されたときに該識別情報を前記画像プリント装置から受信する手段と、前記画像プリント装置から受信した識別情報に対応する撮影画像を前記第１のデータベースから取り出すとともに、該撮影画像の位置情報に関連したテンプレート画像を前記第２のデータベースから取り出して、これらの撮影画像およびテンプレート画像を前記画像プリント装置に送信する手段を有し、前記画像プリント装置は、前記サーバから撮影画像および該撮影画像の位置情報に関連したテンプレート画像を受信する手段と、前記サーバから受信した撮影画像およびテンプレート画像を合成する手段と、合成した画像をプリントする手段を有する構成となっている。
【００１０】
この構成によって、撮影画像の発信位置に対応したテンプレート画像がサーバから画像プリント装置に配信され、このテンプレート画像が画像プリント装置で撮影画像に合成されて、合成画像がプリントされることになる。
【００１１】
また、請求項２に記載の発明は、被写体を撮影する電子カメラ、画像をプリントする画像プリント装置、および、前記電子カメラおよび画像プリント装置と通信するサーバから構成され、前記電子カメラは、被写体の撮影位置を検出する位置検出手段と、検出した撮影位置を被写体の撮影画像に該撮影画像の位置情報として付与する手段と、該位置情報付き撮影画像を前記サーバに送信する手段を有し、前記サーバは、前記電子カメラから前記位置情報付き撮影画像を受信する手段と、前記電子カメラから受信した位置情報付き撮影画像を該撮影画像に対応する識別情報と関連付けて蓄積する第１のデータベースと、前記撮影画像と合成可能な複数のテンプレート画像を予め蓄積する第２のデータベースと、前記識別情報を前記電子カメラに通知する手段と、前記画像プリント装置で識別情報が入力されたときに該識別情報を前記画像プリント装置から受信する手段と、前記画像プリント装置から受信した識別情報に対応する位置情報付き撮影画像を前記第１データベースから取り出すとともに、該位置情報に関連したテンプレート画像を前記第２のデータベースから取り出して、これらの撮影画像およびテンプレート画像を前記画像プリント装置に送信する手段を有し、前記画像プリント装置は、前記サーバから撮影画像およびテンプレート画像を受信する手段と、前記サーバから受信した撮影画像およびテンプレート画像を合成する手段と、合成した画像をプリントする手段を有する構成となっている。
【００１２】
この構成によって、撮影画像の撮影位置に対応したテンプレート画像がサーバから画像プリント装置に配信され、このテンプレート画像が画像プリント装置で撮影画像に合成されて、合成画像がプリントされることになる。
【００１３】
また、請求項３に記載の発明は、被写体を撮影する電子カメラ、画像をプリントする画像プリント装置、および、該画像プリント装置と通信するサーバから構成され、前記電子カメラは、被写体の撮影位置を検出する位置検出手段と、検出した撮影位置を被写体の撮影画像に該撮影画像の位置情報として付与する手段と、該位置情報付き撮影画像を所定の記録媒体または自らのメモリに記録する手段と、を有し、前記サーバは、前記撮影画像と合成可能な複数のテンプレート画像を予め蓄積するデータベースと、前記データベースから取り出したテンプレート画像を前記画像プリント装置に送信する手段を有し、前記画像プリント装置は、前記位置情報付き撮影画像を前記記録媒体または前記電子カメラから取得する手段と、前記サーバが蓄積した複数のテンプレート画像の中から前記撮影画像の位置情報に関連したテンプレート画像を前記サーバから受信する手段と、前記撮影画像およびテンプレート画像を合成する手段と、合成した画像をプリントする手段を有する構成となっている。
【００１４】
この構成によって、撮影画像の撮影位置に対応したテンプレート画像がサーバから画像プリント装置に配信され、このテンプレート画像が画像プリント装置で撮影画像に合成されて、合成画像がプリントされることになる。
【００１５】
また、請求項４に記載の発明は、請求項１、２又は３に記載の発明において、前記画像プリント装置は、前記サーバに蓄積された各テンプレート画像と位置との対応関係を管理し、前記撮影画像をプリントする際に、該撮影画像の位置情報に対応したテンプレート画像を前記複数のテンプレート画像の中から選択して該選択したテンプレート画像を前記サーバ装置に要求して前記サーバから受信する構成となっている。
【００１６】
この構成によって、位置情報に対してどのテンプレート画像を選択して合成可能とするかを、画像プリント装置ごとに差別化することができる。
【００１７】
また、請求項５に記載の発明は、請求項１、２又は３に記載の発明において、前記サーバは、該サーバに蓄積された各テンプレート画像と位置との対応関係を管理し、前記画像プリント装置が前記撮影画像をプリントする際に、該撮影画像の位置情報に対応したテンプレート画像を前記複数のテンプレート画像の中から選択して前記画像プリント装置に送信する構成となっている。
【００１８】
この構成によって、位置情報に対してどのテンプレート画像を選択して合成可能とするかを、サーバ側で一元管理することができる。
【００１９】
また、請求項６に記載の発明は、被写体を撮影する電子カメラ、画像をプリントする画像プリント装置、および、前記電子カメラおよび画像プリント装置と通信するサーバから構成され、前記電子カメラは、被写体を撮影して得られた撮影画像を前記サーバに送信する手段を有し、前記サーバは、前記電子カメラから前記撮影画像を受信する手段と、前記電子カメラから撮影画像を受信したとき、該撮影画像の送信位置を撮影画像の位置情報として取得する手段と、前記電子カメラから受信した撮影画像および該撮影画像の位置情報を、該撮影画像に対応する識別情報と関連付けて蓄積する第１のデータベースと、前記識別情報を前記電子カメラに通知する手段と、前記画像プリント装置で識別情報が入力されたときに該識別情報を前記画像プリント装置から受信する手段と、前記画像プリント装置から受信した識別情報に対応する撮影画像および該撮影画像の位置情報を前記第１のデータベースから取り出して前記画像プリント装置に送信する手段を有し、前記画像プリント装置は、前記撮影画像と合成可能な複数のテンプレート画像を予め蓄積する第２のデータベースと、前記サーバから撮影画像および該撮影画像の位置情報を受信する手段と、前記サーバから受信した位置情報に関連するテンプレート画像を前記第２のデータベースから取り出す手段と、前記サーバから受信した撮影画像および前記第２のデータベースから取り出したテンプレート画像を合成する手段と、合成した画像をプリントする手段を有する構成となっている。
【００２０】
この構成によって、撮影画像の発信位置に対応したテンプレート画像が画像プリント装置で選択されて、このテンプレート画像が画像プリント装置で撮影画像に合成されて、合成画像がプリントされることになる。
【００２１】
また、請求項７に記載の発明は、被写体を撮影する電子カメラ、画像をプリントする画像プリント装置、および、前記電子カメラおよび画像プリント装置と通信するサーバから構成され、前記電子カメラは、被写体の撮影位置を検出する位置検出手段と、検出した撮影位置を被写体の撮影画像に該撮影画像の位置情報として付与する手段と、該位置情報付き撮影画像を前記サーバに送信する手段を有し、前記サーバは、前記電子カメラから前記位置情報付き撮影画像を受信する手段と、前記電子カメラから受信した位置情報付き撮影画像を該撮影画像に対応する識別情報と関連付けて蓄積する第１のデータベースと、前記識別情報を前記電子カメラに通知する手段と、前記画像プリント装置で識別情報が入力されたときに該識別情報を前記画像プリント装置から受信する手段と、前記画像プリント装置から受信した識別情報に対応する位置情報付き撮影画像を前記第１のデータベースから取り出して前記画像プリント装置に送信する手段を有し、前記画像プリント装置は、前記撮影画像と合成可能な複数のテンプレート画像を予め蓄積する第２のデータベースと、前記サーバから位置情報付き撮影画像を受信する手段と、前記位置情報に関連するテンプレート画像を前記第２のデータベースから取り出す手段と、前記サーバから受信した撮影画像および前記第２のデータベースから取り出したテンプレート画像を合成する手段と、合成した画像をプリントする手段を有する構成となっている。
【００２２】
この構成によって、撮影画像の撮影位置に対応したテンプレート画像が画像プリント装置で選択されて、このテンプレート画像が画像プリント装置で撮影画像に合成されて、合成画像がプリントされることになる。
【００２３】
また、請求項８に記載の発明は、被写体を撮影する電子カメラ、および、画像をプリントする画像プリント装置から構成され、前記電子カメラは、被写体の撮影位置を検出する位置検出手段と、検出した撮影位置を被写体の撮影画像に該撮影画像の位置情報として付与する手段と、該位置情報付き撮影画像を所定の記録媒体または自らのメモリに記録する手段を有し、前記画像プリント装置は、前記撮影画像と合成可能な複数のテンプレート画像を予め蓄積するデータベースと、前記位置情報付き撮影画像を前記記録媒体または前記電子カメラから取得する手段と、前記データベースが蓄積した複数のテンプレート画像の中から前記撮影画像の位置情報に関連したテンプレート画像を取り出す手段と、前記撮影画像と該撮影画像の位置情報に関連したテンプレート画像とを合成する手段と、合成した画像をプリントする手段を有する構成となっている。
【００２４】
この構成によって、撮影画像の撮影位置に対応したテンプレート画像が画像プリント装置で選択されて、このテンプレート画像が画像プリント装置で撮影画像に合成されて、合成画像がプリントされることになる。
【００２５】
また、請求項９に記載の発明は、請求項１ないし請求項８の何れかに記載の画像プリントシステムを構成する前記サーバである。
【００２６】
また、請求項１０に記載の発明は、請求項１ないし請求項８の何れかに記載の画像プリントシステムを構成する前記画像プリント装置である。
【発明の効果】
【００２７】
本発明によれば、電子カメラがサーバからテンプレート画像をダウンロードしてこなくても、また、電子カメラが画像合成機能を有していなくても、撮影画像に適したテンプレート画像を撮影画像に容易に合成してプリントすることができる。
【発明を実施するための最良の形態】
【００２８】
以下、添付図面に従って本発明に係る画像プリントシステムを実施するための最良の実施の形態について、詳細に説明する。
【実施例１】
【００２９】
図１は、本発明に係る実施例１の画像プリントシステムの概略を示す全体構成図である。
【００３０】
図１において、画像プリントシステムは、主として、カメラ付きの携帯電話１０（電子カメラ）と、画像をプリント可能な画像プリント装置２０と、携帯電話１０および画像プリント装置２０と通信可能なサーバ３０を含んで構成される。なお、サーバ３０は、携帯電話１０とは、ネットワーク４０および基地局５０を介して通信し、画像プリント装置２０とは、ネットワーク４０を介して通信するようになっている。
【００３１】
携帯電話１０は、主として、被写体を撮影するカメラ１１と、被写体の撮影指示や撮影画像の送信指示などのユーザの指示が入力される操作手段１２と、被写体の撮影画像やサーバ３０からの情報などを表示可能な表示手段１３と、無線通信可能な通信手段１４と、携帯電話１０を統括制御するＣＰＵ（Central Processing Unit）からなる制御手段１５と、ＲＯＭ（Read Only Memory）およびＲＡＭ（Random Access Memory）からなるメモリ１６とを含んで構成される。
【００３２】
この携帯電話１０の制御手段１５は、通信手段１４により、基地局５０およびネットワーク４０を介して、サーバ３０に撮影画像を送信するようになっている。
【００３３】
サーバ３０は、主として、携帯電話１０および画像プリント装置２０と通信するための通信手段３４と、サーバ３０を統括制御するＣＰＵからなる制御手段３５と、ＲＯＭおよびＲＡＭからなるメモリ３６と、携帯電話１０から受信した複数の撮影画像を蓄積する撮影画像データベース８１と、撮影画像に合成可能な複数のテンプレート画像を蓄積するテンプレート画像データベース８２を含んで構成される。
【００３４】
このサーバ３０の制御手段３５は、撮影画像を通信手段３４により携帯電話１０から受信したとき、撮影画像の受信毎に、識別情報を生成するようになっている。また、携帯電話１０から受信した撮影画像、および、基地局５０から通信手段３４により取得した携帯電話１０の発信位置情報を、生成した識別情報と関連付けて、撮影画像データベース８１に蓄積させるようになっている。さらに、生成した識別情報を通信手段３４により携帯電話１０に送信するようになっている。
【００３５】
また、サーバ３０の制御手段３５は、画像プリント装置２０で識別情報が入力されて、この識別情報を画像プリント装置２０から通信手段３４により受信したとき、受信した識別情報に対応する撮影画像を撮影画像データベース８１から取り出すとともに、この撮影画像に対応する発信位置情報に関連したテンプレート画像を、テンプレート画像データベース８２から取り出して、取り出した撮影画像およびテンプレート画像を、画像プリント装置２０に送信するようになっている。
【００３６】
画像プリント装置２０は、主として、画像をプリントする画像プリント手段２１と、プリントサービス選択、識別情報入力、プリントする撮影画像およびテンプレート画像の選択、プリント指示などの操作がされる操作手段２２と、ユーザの指示を導くための画面や合成画像等の画像が表示可能な表示手段２３と、サーバ３０と通信するための通信手段２４と、画像プリント装置２０を統括制御する制御手段２５と、画像を記憶可能なメモリ２６と、発信位置情報およびテンプレート画像の対応関係を示す管理テーブルを記憶する管理テーブルデータベース８３を含んで構成される。
【００３７】
この画像プリント装置２０の制御手段２５は、画像プリント装置２０の操作手段２２で識別情報が入力されたとき、入力された識別情報を通信手段２４によりサーバ３０に送信するようになっている。
【００３８】
また、画像プリント装置２０の制御手段２５は、通信手段２４によりサーバ３０から受信した撮影画像およびテンプレート画像を合成して、合成画像を画像プリント手段２１によりプリントさせるようになっている。
【００３９】
図２は、画像プリント装置２０の具体的な内部構成の例を示すブロック図である。尚、図１に示す画像プリント装置２０の各手段と対応するものには同じ符号を付してある。
【００４０】
図２において、ＣＰＵ２５は、画像プリント装置２０の各部を統括制御するものである。プログラムメモリ２６１は、例えばＲＯＭで構成され、プログラム等が格納される。ワークメモリ２６２は、例えばＲＡＭで構成され、画像合成処理等の各処理で利用される。タッチパネルインタフェース部２０２３は、本部を介してＣＰＵ２５がタッチパネル２２３を制御するものである。ＬＡＮ（Local Area Network）インタフェース部２４は、本部を介して画像プリント装置３０をネットワーク４０に接続するものである。記録媒体インタフェース部２７は、本部を介してＣＰＵ２５が記録媒体７０に記録された撮影画像の読み出しを行うものである。ディスク２８は、ハードディスクやＥＥＰＲＯＭ（Electrically Erasable and Programmable ROM）等のデータを常時保持可能な記憶手段からなる。画像処理部２５１は、画像の伸長処理、および、画像の合成処理を行うものである。プリントデータ処理部２５２は、画像処理部２５１で処理が施された画像をプリント用のデータ形式に変換するものである。画像プリンタインタフェース部２０１は、本部を介してＣＰＵ２５が画像プリンタ２１を制御するものである。コインマシンインタフェース部２０９は、本部を介してＣＰＵ２５がコインマシン２９を制御するものである。レシートプリンタインタフェース部２０１０は、本部を介してＣＰＵ２５がレシートプリンタ２１０を制御するものである。
【００４１】
これらのＣＰＵ２５、プログラムメモリ２６１、ワークメモリ２６２、タッチパネルインタフェース部２０２３、ＬＡＮインタフェース部２４、記録媒体インタフェース部２７、ディスク２８、画像処理部２５１、プリントデータ処理部２５２、画像プリンタインタフェース部２０１、コインマシンインタフェース部２０９、および、レシートプリンタインタフェース部２０１０は、画像プリントコントローラ２００を構成する。
【００４２】
図１の示す各部と図２に示す各部の対応関係を簡単に説明すると、図１の画像プリント手段２１は、図２の画像プリンタ２１等で構成され、図１の操作手段２２および表示手段２３は、図２のタッチパネル２２３等で構成され、図１の制御手段２５は、図２のＣＰＵ２５等で構成され、図１のメモリ２６は、図２のプログラムメモリ２６１およびワークメモリ２６２で構成され、図１の管理テーブルデータベース８３は、図２のディスク２８で構成される。
【００４３】
次に、実施例１の画像プリントシステムにおける画像プリント処理の流れを、図３のフローチャートを用いて説明する。
【００４４】
携帯電話１０のカメラ１１で被写体が撮影されると、被写体の撮影画像が携帯電話１０のメモリ１６に一時記憶される（Ｓ１０２）。そして、携帯電話１０のメモリ１６に一時記憶された撮影画像は、携帯電話１０の操作手段１２によるユーザの送信指示に従って、携帯電話１０の通信手段１４によりサーバ３０に送信される（Ｓ１０４）。ここで撮影画像の送信は、例えば、撮影画像を含む画像ファイルを添付した電子メール（撮影画像添付メール）がサーバ３０宛に送信されることにより行われる。携帯電話１０から送信された撮影画像は、具体的には、基地局５０およびネットワーク４０を介して、サーバ３０に転送される。このような撮影画像の転送の際、基地局５０では、携帯電話１０の発信位置（すなわち撮影画像の送信位置である）を検出するようになっている。
【００４５】
サーバ３０では、その通信手段３４により撮影画像が取得される（Ｓ１２２）。また、基地局５０によって検出された携帯電話の発信位置情報がサーバ３０の通信手段３４により取得される（Ｓ１２４）。ここで、サーバ３０の制御手段３５によって、受付番号および認証コードからなる識別情報が生成され、さらに、撮影画像および発信位置情報が識別情報と関連付けされて、撮影画像データベース８１に蓄積される（Ｓ１２６）。そして、サーバ３０の通信手段３４により識別情報が携帯電話１０に通知される（Ｓ１２８）。例えば、識別情報を本文に含む電子メール（識別情報通知メール）が、撮影画像添付メールを送信した携帯電話１０宛に送信される。
【００４６】
携帯電話１０では、その通信手段１４により識別情報をサーバ３０から受信すると、受信した識別情報を携帯電話１０のメモリ１６に記憶し、携帯電話１０の操作手段１２を用いたユーザの表示指示に従って、識別情報が携帯電話１０の表示手段１３に表示される（Ｓ１０６）。
【００４７】
撮影画像をプリントさせる際には、まず、ユーザによってプリントサービスが選択される（Ｓ１４２）。例えば、図５のプリントサービス選択画面２３０５が表示された画像プリント装置２０のタッチパネル２２３上で、プリントサービスを選択する。この場合には、「携帯電話から」を選択する。そうすると、図６に示すような識別情報入力画面２３０６が表示される。
【００４８】
次に、ユーザによって、撮影画像の送信時にサーバ３０から携帯電話１０に通知された識別情報が入力される（Ｓ１４４）。例えば、図６の識別情報入力画面２３０６が表示された画像プリント装置２０のタッチパネル２２３で、識別情報として受付番号および認証コードを入力する。そうすると、入力された識別情報（ＩＤ）が画像プリント装置２０の通信手段２４によりサーバ３０に通知される（Ｓ１４６）。
【００４９】
サーバ３０では、識別情報を受信すると（Ｓ１３０）、サーバ３０の制御手段３５によって、識別情報に対応する撮影画像および発信位置情報が撮影画像データベース８１から取り出され、取り出された撮影画像および発信位置情報が通信手段３４により画像プリント装置２０に送信される（Ｓ１３２）。
【００５０】
画像プリント装置２０では、撮影画像および発信位置情報を受信すると（Ｓ１４８）、発信位置情報に対応したテンプレート画像を、例えば画像番号で指定することにより、通信手段２４によりサーバ３０に対して要求する（Ｓ１５０）。画像のカテゴリを指定するようにしてもよい。
【００５１】
サーバ３０では、テンプレート画像要求を受信すると（Ｓ１３４）、画像プリント装置２０から指定された複数のテンプレート画像が、サーバ３０の制御手段３５によりテンプレート画像データベース８２から取り出され、取り出された複数のテンプレート画像が通信手段３４により画像プリント装置２０に送信される（Ｓ１３６）。
【００５２】
画像プリント装置２０では、複数のテンプレート画像を受信すると（Ｓ１５２）、これらの複数のテンプレート画像が表示される。例えば図７に示すようなテンプレート画像選択画面２３０７がタッチパネル２２３上に表示される。ユーザは、画像プリント装置２０のタッチパネル２２３上で、好みのテンプレート画像を選択する（Ｓ１５４）。
【００５３】
図７のテンプレート画像選択画面２３０７では、撮影画像表示領域２３０７ａに表示された複数の撮影画像の位置情報に対応する複数のテンプレート画像がテンプレート画像表示領域２３０７ｂに表示され、撮影画像に合成するテンプレート画像がユーザによって特定される。ユーザは「前を見る」ボタン２３０７ｄや「次を見る」ボタン２３０７ｅを押して、テンプレート画像を特定することができる。
【００５４】
例えば、被写体の撮影場所があるテーマパーク（動物のテーマパークとか、花のテーマパークとか）の中であった場合、位置情報に基づいて、そのテーマパークに関連したテンプレート画像が画像プリント装置２０で表示され、合成プリントの対象としてユーザが特定可能になる。観光地に関するテンプレート画像や、富士山に撮影場所が近い場合における富士山の形をしたテンプレート画像であってもよい。
【００５５】
尚、図７のテンプレート画像選択画面２３０７では、撮影画像表示領域２３０７ａでユーザによって特定された撮影画像（番号１の撮影画像）と、テンプレート画像表示領域２３０７ｂでユーザによって特定されたテンプレート画像の合成画像が、合成画像表示領域２３０７ｃに表示されている。ユーザは、「次のコマ」ボタン２３０７ｆや「前のコマ」ボタン２３０７ｇを押して、撮影画像のコマ送りや戻しをすることができる。また、「回転・拡大・移動」ボタン２３０７ｈを押して、撮影画像の回転、拡大および移動をすることができる。
【００５６】
また、サーバ３０から受信した複数の撮影画像が画像プリント装置２０に表示される。例えば図８に示すような撮影画像選択画面２３０８がタッチパネル２２３上に表示される。ユーザは、画像プリント装置２０のタッチパネル２２３上で、プリントさせたい撮影画像を選択する（Ｓ１５６）。
【００５７】
そうすると、撮影画像およびテンプレート画像が合成されて、合成画像が表示される。例えば図９に示すような合成画像確認画面２３０９が画像プリント装置２０のタッチパネル２２３上に表示される。ユーザは、表示された合成画像を確認し、プリントしてよければプリントを指示する（Ｓ１５８）。
【００５８】
そうすると、画像プリント装置２０で、合成画像のプリントが開始される（Ｓ１６０）。
【００５９】
画像プリント装置２０での処理の流れをまとめると図４に示すようになる。
【００６０】
まず、ユーザによってタッチパネル２２３上でプリントサービスが選択される（Ｓ１４２）。次に、撮影画像の送信時にサーバ３０から携帯電話１０に通知された識別情報が、ユーザによってタッチパネル２２３上で入力される（Ｓ１４４）。そうすると、識別情報がサーバ３０に通知され、識別情報に対応した撮影画像および位置情報がサーバ３０から送られてくる（Ｓ１４８）。位置情報に対応したテンプレート画像をサーバ３０に対して要求すると、位置情報に対応したテンプレート画像がサーバ３０から送られてくる（Ｓ１５２）。タッチパネル２２３上には撮影画像の位置情報に対応した複数のテンプレート画像が表示されるので、ユーザは、タッチパネル２２３上で好みのテンプレート画像を選択する（Ｓ１５４）。また、タッチパネル２２３上には、サーバ３０から受信した複数の撮影画像が表示されるので、ユーザはタッチパネル２２３上でプリントさせたい撮影画像を選択する（Ｓ１５６）。そうすると、撮影画像およびテンプレート画像が合成されて、合成画像がタッチパネル２２３上に表示されるので、ユーザは表示された合成画像を確認する（Ｓ１５８）。ユーザがプリントを指示すると、合成画像のプリントが開始される（Ｓ１６０）。
【００６１】
このように、テンプレート画像をサーバ３０から携帯電話１０にダウンロードしなくても、携帯電話１０で画像合成しなくても、携帯電話１０で撮影して得られた撮影画像とサーバ３０に予め蓄積されたテンプレート画像とが合成されて、合成画像がプリントされることになる。
【００６２】
なお、実施例１において、撮影位置とテンプレート画像の対応関係を記憶する管理テーブルデータベース８３を画像プリント装置２０が有し、画像プリント装置２０が撮影位置とテンプレート画像の管理機能を持つ場合を例に説明したが、本発明はこれに限るものではない。サーバ３０が、撮影位置とテンプレート画像の対応関係を記憶する管理テーブルデータベース８３を有し、画像プリント装置２０が撮影画像をプリントする際に、撮影画像の位置情報に対応したテンプレート画像をサーバ３０のテンプレート画像データベース８２の中のテンプレート画像から選択して、画像プリント装置２０に送信するようにしてもよい。
【実施例２】
【００６３】
図１０は、本発明に係る実施例２の画像プリントシステムの概略を示す全体構成図である。尚、図１に示す実施例１の画像プリントシステムと同じ部分には、同じ符号を付してあり、詳細な説明を省略する。
【００６４】
図１０において、携帯電話１０は、例えばＧＰＳ（Global Positioning System）を利用して現在位置を検出する位置検出手段１８を有する。実施例２の携帯電話１０は、カメラ１１によって被写体を撮影したとき、位置検出手段１８により検出した現在位置を撮影位置情報として撮影画像に付加し、この撮影位置情報付きの撮影画像を通信手段１４によってサーバ３０に送信するようになっている。
【００６５】
次に、実施例２の画像プリントシステムにおける画像プリント処理の流れを、図１１のフローチャートを用いて説明する。
【００６６】
携帯電話１０のカメラ１１で被写体が撮影されると、被写体の撮影画像が携帯電話１０のメモリ１６に一時記憶される（Ｓ２０２）。このような被写体の撮影時に、携帯電話１０の位置検出手段１８によって撮影位置が検出され、携帯電話１０の制御手段１５によって、撮影位置情報が画像に付与される（Ｓ２０３）。
【００６７】
撮影画像および撮影位置情報を含む画像ファイルの構成例を図１２に示す。図１２において、画像ファイル１２００は、主に、ヘッダ部１２１０および画像データ部１２２０（撮影画像）から構成されている。ヘッダ部１２１０は、携帯電話１０の制御手段１５によって生成されたものであり、撮影日付１２１１、画像サイズ１２１２、画像圧縮情報１２１３および撮影位置情報１２１４を含む。
【００６８】
携帯電話１０のメモリ１６に一時記憶された撮影位置情報付きの撮影画像は、携帯電話１０の操作手段１２によるユーザの送信指示に従って、携帯電話１０の通信手段１４によりサーバ３０に送信される（Ｓ２０４）。例えば、図１２の画像ファイルを添付した電子メール（撮影画像添付メール）がサーバ３０宛に送信される。
【００６９】
サーバ３０では、その通信手段３４により撮影位置情報付きの撮影画像が取得される（Ｓ２２２）。ここで、サーバ３０の制御手段３５によって、受付番号および認証コードからなる識別情報が生成され、さらに、撮影位置情報付きの撮影画像が識別情報と関連付けされて、撮影画像データベース８１に蓄積される（Ｓ２２６）。そして、サーバ３０の通信手段３４により識別情報が携帯電話１０に通知される（Ｓ２２８）。例えば、識別情報を本文に含む電子メール（識別情報通知メール）が、撮影画像添付メールを送信した携帯電話１０宛に送信される。
【００７０】
携帯電話１０では、その通信手段１４により識別情報をサーバ３０から受信すると、受信した識別情報を携帯電話１０のメモリ１６に記憶し、携帯電話１０の操作手段１２を用いたユーザの表示指示に従って、識別情報が携帯電話１０の表示手段１３に表示される（Ｓ２０６）。
【００７１】
撮影画像をプリントさせる際には、まず、ユーザによってプリントサービスが選択される（Ｓ２４２）。次に、ユーザによって、撮影画像の送信時にサーバ３０から携帯電話１０に通知された識別情報が入力される（Ｓ２４４）。そうすると、入力された識別情報（ＩＤ）が画像プリント装置２０の通信手段２４によりサーバ３０に通知される（Ｓ２４６）
サーバ３０では、識別情報を受信すると（Ｓ２３０）、サーバ３０の制御手段３５によって、識別情報に対応する撮影位置情報付き撮影画像が撮影画像データベース８１から取り出され、取り出された撮影位置情報付き撮影画像が通信手段３４により画像プリント装置２０に送信される（Ｓ２３２）。
【００７２】
画像プリント装置２０では、撮影位置情報付き撮影画像を受信すると（Ｓ２４８）、撮影位置情報に対応したテンプレート画像を、例えば画像番号で指定することにより、通信手段２４によりサーバ３０に対して要求する（Ｓ２５０）。
【００７３】
サーバ３０では、テンプレート画像要求を受信すると（Ｓ２３４）、画像プリント装置２０から指定された複数のテンプレート画像が、サーバ３０の制御手段３５によりテンプレート画像データベース８２から取り出され、取り出された複数のテンプレート画像が通信手段３４により画像プリント装置２０に送信される（Ｓ２３６）。
【００７４】
画像プリント装置２０では、複数のテンプレート画像を受信すると（Ｓ２５２）、これらの複数のテンプレート画像が表示され、好みのテンプレート画像がユーザによって選択される（Ｓ２５４）。
【００７５】
また、サーバ３０から受信した複数の撮影画像が画像プリント装置２０に表示され、ユーザによってプリントさせたい撮影画像が選択される（Ｓ２５６）。そうすると、撮影画像およびテンプレート画像が合成されて、合成画像が表示されるので、プリントしてよければユーザによってプリントが指示され（Ｓ２５８）、合成画像のプリントが開始される（Ｓ２６０）。
【００７６】
なお、撮影位置とテンプレート画像の対応関係を記憶する管理テーブルデータベース８３を画像プリント装置２０が有する場合を例に説明したが、本発明はこれに限るものではなく、サーバ３０が、管理テーブルデータベース８３を有し、画像プリント装置２０が撮影画像をプリントする際に、撮影画像の位置情報に対応したテンプレート画像をサーバ３０のテンプレート画像データベース８２の中のテンプレート画像から選択して画像プリント装置２０に送信するようにしてもよい。
【実施例３】
【００７７】
図１３は、本発明に係る実施例３の画像プリントシステムの概略を示す全体構成図である。尚、図１に示す実施例１の画像プリントシステムおよび図１０に示す実施例２の画像プリントシステムと同じ部分には、同じ符号を付してあり、詳細な説明を省略する。
【００７８】
図１３において、携帯電話１０は、メモリカードなどの記録媒体に撮影位置情報付きの撮影画像を記録するための記録媒体インタフェース１７を有する。記録媒体に記録された撮影位置情報付きの撮影画像は、画像プリント装置２０の記録媒体インタフェース部２７により記録媒体から読み出される。
【００７９】
次に、実施例４の画像プリントシステムにおける画像プリント処理の流れを、図１４のフローチャートを用いて説明する。
【００８０】
携帯電話１０のカメラ１１で被写体が撮影されると、被写体の撮影画像が携帯電話１０のメモリ１６に一時記憶される（Ｓ３０２）。このような被写体の撮影時に、携帯電話１０の位置検出手段１８によって撮影位置が検出され、携帯電話１０の制御手段１５によって、撮影位置情報が画像に付与される（Ｓ３０３）。携帯電話１０のメモリ１６に一時記憶された撮影位置情報付きの撮影画像は、携帯電話１０の記録媒体インタフェース１７によって、記録媒体に記録される（Ｓ３０４）。
【００８１】
撮影画像をプリントさせる際には、まず、ユーザによってプリントサービスが選択される（Ｓ３４２）。次に、画像プリント装置３０の記録媒体インタフェース部２７によって、位置情報付きの撮影画像が記録媒体から読み出される（Ｓ３４８）。そして、撮影位置情報に対応したテンプレート画像を、画像プリント装置２０の通信手段２４によりサーバ３０に対して要求する（Ｓ３５０）。
【００８２】
サーバ３０では、テンプレート画像要求を受信すると（Ｓ３３４）、画像プリント装置２０から指定された複数のテンプレート画像が、サーバ３０の制御手段３５によりテンプレート画像データベース８２から取り出され、取り出された複数のテンプレート画像が通信手段３４により画像プリント装置２０に送信される（Ｓ３３６）。
【００８３】
画像プリント装置２０では、複数のテンプレート画像を受信すると（Ｓ３５２）、これらの複数のテンプレート画像が表示され、好みのテンプレート画像がユーザによって選択される（Ｓ３５４）。
【００８４】
また、記録媒体に記録された複数の撮影画像が画像プリント装置２０に表示され、ユーザによってプリントさせたい撮影画像が選択される（Ｓ３５６）。そうすると、撮影画像およびテンプレート画像が合成されて、合成画像が表示されるので、プリントしてよければユーザによってプリントが指示され（Ｓ３５８）、合成画像のプリントが開始される（Ｓ３６０）。
【００８５】
なお、本実施例では、画像プリント装置２０が記録媒体から位置情報付き撮影画像を取得する場合を例に説明したが、本発明はこれに限るものではない。例えば、携帯電話１０内のメモリ１６に記録された撮影画像を、携帯電話１０と通信することにより、携帯電話１０から直接取得するようにしてもよい。
【実施例４】
【００８６】
図１５は、本発明に係る実施例４の画像プリントシステムの概略を示す全体構成図である。尚、図１に示す実施例１の画像プリントシステムと同じ部分には、同じ符号を付してあり、詳細な説明を省略する。
【００８７】
図１５において、画像プリント装置２０は、複数のテンプレート画像を予め記憶するテンプレート画像データベース８２を有する。画像プリント装置２０は、その制御手段２５によって、サーバ３０から受信した発信位置情報に関連するテンプレート画像をテンプレート画像データベース８２から取り出して、サーバ３０から受信した撮影画像と合成するようになっている。
【００８８】
図１６のフローチャートは、実施例４の画像プリントシステムにおける画像プリント処理の流れを示す。図１６において、図３に示す実施例１での処理と同じステップには同じ番号を付してあり、詳細な説明は省略する。
【００８９】
図１６において、画像プリント装置２０で、プリントサービスが選択され（Ｓ１４２）、識別情報が入力され（Ｓ１４４）、入力された識別情報に対応する撮影画像および発信位置情報をサーバ３０から受信すると（Ｓ１４６、Ｓ１４８）、画像プリント装置２０は、その制御手段２５によって、サーバ３０から受信した発信位置情報に関連するテンプレート画像をテンプレート画像データベース８２から取り出す（Ｓ４５２）。このテンプレート画像データベース８２から取り出されたテンプレート画像の中からプリント対象のテンプレート画像がユーザによって特定され（Ｓ１５４）、プリント対象の撮影画像がユーザによって特定され（Ｓ１５６）、特定されたテンプレート画像および撮影画像が合成されて（Ｓ１５８）、合成画像がプリントされる（Ｓ１６０）。
【実施例５】
【００９０】
図１７は、本発明に係る実施例５の画像プリントシステムの概略を示す全体構成図である。尚、図１０に示す実施例２の画像プリントシステムと同じ部分には、同じ符号を付してあり、詳細な説明を省略する。
【００９１】
図１７において、画像プリント装置２０は、複数のテンプレート画像を予め記憶するテンプレート画像データベース８２を有する。画像プリント装置２０は、その制御手段２５によって、サーバ３０から受信した撮影位置情報に関連するテンプレート画像をテンプレート画像データベース８２から取り出して、サーバ３０から受信した撮影画像と合成するようになっている。
【００９２】
図１８のフローチャートは、実施例５の画像プリントシステムにおける画像プリント処理の流れを示す。図１８において、図１１に示す実施例２での処理と同じステップには同じ番号を付してあり、詳細な説明は省略する。
【００９３】
図１８において、画像プリント装置２０で、プリントサービスが選択され（Ｓ２４２）、識別情報が入力され（Ｓ２４４）、入力された識別情報に対応する撮影位置情報付き撮影画像をサーバ３０から受信すると（Ｓ２４６、Ｓ２４８）、画像プリント装置２０は、その制御手段２５によって、サーバ３０から受信した撮影画像の撮影位置情報に関連するテンプレート画像をテンプレート画像データベース８２から取り出す（Ｓ５５２）。このテンプレート画像データベース８２から取り出されたテンプレート画像の中からプリント対象のテンプレート画像がユーザによって特定され（Ｓ２５４）、プリント対象の撮影画像がユーザによって特定され（Ｓ２５６）、特定されたテンプレート画像および撮影画像が合成されて（Ｓ２５８）、合成画像がプリントされる（Ｓ２６０）。
【実施例６】
【００９４】
図１９は、本発明に係る実施例６の画像プリントシステムの概略を示す全体構成図である。尚、図１３に示す実施例３の画像プリントシステムと同じ部分には、同じ符号を付してあり、詳細な説明を省略する。
【００９５】
図１９において、画像プリント装置２０は、複数のテンプレート画像を予め記憶するテンプレート画像データベース８２を有する。画像プリント装置２０は、その制御手段２５によって、記録媒体インタフェース部２７によって記録媒体から読み出した撮影画像の撮影位置情報に関連するテンプレート画像を、テンプレート画像データベース８２から取り出して、サーバ３０から受信した撮影画像と合成するようになっている。
【００９６】
図２０のフローチャートは、実施例６の画像プリントシステムにおける画像プリント処理の流れを示す。図２０において、図１４に示す実施例３での処理と同じステップには同じ番号を付してあり、詳細な説明を省略する。
【００９７】
図２０において、画像プリント装置２０で、プリントサービスが選択され（Ｓ３４２）、位置情報付きの撮影画像が記録媒体から読み出されると（Ｓ３４８）、画像プリント装置２０の制御手段２５によって、記録媒体から読み出された撮影画像の撮影位置情報に関連するテンプレート画像がテンプレート画像データベース８２から取り出される（Ｓ６５２）。このテンプレート画像データベース８２から取り出されたテンプレート画像の中からプリント対象のテンプレート画像がユーザによって特定され（Ｓ３５４）、プリント対象の撮影画像がユーザによって特定され（Ｓ３５６）、特定されたテンプレート画像および撮影画像が合成されて（Ｓ３５８）、合成画像がプリントされる（Ｓ３６０）。
【００９８】
本実施例では、画像プリント装置２０が記録媒体から位置情報付き撮影画像を取得する場合を例に説明したが、本発明はこれに限るものではない。例えば、携帯電話１０内のメモリ１６に記録された撮影画像を、携帯電話１０と通信することにより、携帯電話１０から直接取得するようにしてもよい。
【００９９】
なお、前述の実施例１から実施例６までにおいて各種の構成態様の携帯電話にそれぞれ対応したシステム構成を説明した。このような如何なる構成態様の携帯電話で撮影された撮影画像に対しても、その撮影画像の位置情報に適したテンプレート画像を合成可能である。ここで、画像プリント装置２０やサーバ３０は、各実施例で説明した何れかひとつの構成態様の携帯電話でのみ利用可能な構成とする必要はなく、ユーザサービス向けなどの用途では、全ての構成態様の電子カメラに対応した構成とすることが要求されることが多い。したがって、各実施例で紹介した構成同士を組み合わせた画像プリント装置２０およびサーバ３０としてよいことはもちろんである。
【図面の簡単な説明】
【０１００】
【図１】本発明に係る実施例１の画像プリントシステムの概略を示す全体構成図
【図２】実施例１の画像プリントシステムを構成する画像プリント装置の内部構成を示すブロック図
【図３】実施例１の画像プリントシステム全体における処理の流れの概略を示すフローチャート
【図４】実施例１の画像プリントシステムを構成する画像プリント装置における処理の流れの概略を示すフローチャート
【図５】画像プリント装置のプリントサービス選択画面を示す説明図
【図６】画像プリント装置の識別情報入力画面を示す説明図
【図７】画像プリント装置のテンプレート画像選択画面を示す説明図
【図８】画像プリント装置の撮影画像選択画面を示す説明図
【図９】画像プリント装置の合成画像確認画面を示す説明図
【図１０】実施例２の画像プリントシステムの概略を示す全体構成図
【図１１】実施例２の画像プリントシステム全体における処理の流れの概略を示すフローチャート
【図１２】撮影位置情報および撮影画像を含む画像ファイルの例の構成図
【図１３】実施例３の画像プリントシステムの概略を示す全体構成図
【図１４】実施例３の画像プリントシステム全体における処理の流れの概略を示すフローチャート
【図１５】実施例４の画像プリントシステムの概略を示す全体構成図
【図１６】実施例４の画像プリントシステム全体における処理の流れの概略を示すフローチャート
【図１７】実施例５の画像プリントシステムの概略を示す全体構成図
【図１８】実施例５の画像プリントシステム全体における処理の流れの概略を示すフローチャート
【図１９】実施例６の画像プリントシステムの概略を示す全体構成図
【図２０】実施例６の画像プリントシステム全体における処理の流れの概略を示すフローチャート
【符号の説明】
【０１０１】
１０…携帯電話（電子カメラ）、１１…携帯電話のカメラ、１２…携帯電話の操作手段、１３…携帯電話の表示手段、１４…携帯電話の通信手段、１５…携帯電話の制御手段、１６…携帯電話のメモリ、１７…携帯電話の記録媒体インタフェース、１８…携帯電話の位置検出手段、２０…画像プリント装置、２１…画像プリント装置の画像プリント手段、２２…画像プリント装置の操作手段、２３…画像プリント装置の表示手段、２４…画像プリント装置の通信手段、２５…画像プリント装置の制御手段、２６…画像プリント装置のメモリ、２７…画像プリント装置の記録媒体インタフェース、３０…サーバ、３４…サーバの通信手段、３５…サーバの制御手段、４０…ネットワーク、５０…基地局、８１、８２、８３…データベース
【図１】
2005150832.tif 000003
【図２】
2005150832.tif 000004
【図３】
2005150832.tif 000005
【図４】
2005150832.tif 000006
【図５】
2005150832.tif 000007
【図６】
2005150832.tif 000008
【図７】
2005150832.tif 000009
【図８】
2005150832.tif 000010
【図９】
2005150832.tif 000011
【図１０】
2005150832.tif 000012
【図１１】
2005150832.tif 000013
【図１２】
2005150832.tif 000014
【図１３】
2005150832.tif 000015
【図１４】
2005150832.tif 000016
【図１５】
2005150832.tif 000017
【図１６】
2005150832.tif 000018
【図１７】
2005150832.tif 000019
【図１８】
2005150832.tif 000020
【図１９】
2005150832.tif 000021
【図２０】
2005150832.tif 000022